(57)【要約】      （修正有）【課題】イヤホンコードを束ねたり解いたりすることが極めて容易なイヤホンコード束ね具を提供する。【解決手段】二つのマグネット１と、各マグネット１を被覆したカバー２と、それらのカバー２を連結した伸縮自在なバンド３でイヤホンコード束ね具１０を形成する。使用に際しては、束ねたイヤホンコードにバンド３を被せ、そのバンド３の両端にあるマグネット１を互いに磁気接着させる。これにより、ループ状に曲げられたバンド３内に束ねたイヤホンコードを保持することができる。【選択図】図１
0003196459.tif 000002
【実用新案登録請求の範囲】
【請求項１】
二つのマグネットと、各マグネットを被覆したカバーと、それらのカバーを連結した伸縮自在なバンドとを備えたイヤホンコード束ね具。
【請求項２】
前記バンドにはイヤホンコードを止める留め具が設けられている請求項１に記載のイヤホンコード束ね具
【請求項３】
前記留め具が、前記バンドの長手方向に沿って切り込まれた平行な一対のスリットからなり、そのスリットで切り込まれた部分を前記バンドから浮かせて、イヤホンのプラグを挿入することにより、イヤホンコードが保持可能となっている請求項１に記載のイヤホンコード束ね具
【請求項４】
前記バンドが、束ねたイヤホンコードを保持するに充分な長さと幅を有し、かつ、その幅は前記カバーの直径よりも小さく形成されている請求項１又は２に記載のイヤホンコード束ね具
【請求項５】
前記マグネットが、イヤホンコードを保持した状態で、磁性体に磁気接着し保持できる磁力を有する請求項１に記載のイヤホンコード束ね具
【考案の詳細な説明】
【技術分野】
【０００１】  本考案は、イヤホンコードを束ねたり解いたりが容易なイヤホンコード束ね具に関する。
【背景技術】
【０００２】  イヤホンコード束ね具には、針金の入ったビニール結束ひも（ビニールタイ）や樹脂製イヤホンコード束ね具（例えばコードホルダー）がある。前者の結束ひもは、イヤホンコードの種類を問わず、弧状に巻いたイヤホンコードに針金を自由に巻きつけて束ねられる利点があるので、最も手軽なイヤホンコード束ね具として実用に供されている。後者の樹脂製イヤホンコード束ね具は、束ね具本体にイヤホンコードを直接巻き付けることにより、イヤホンコードの長さを調節し、コードの弛みにより他の物への引っ掛かりを防いだり、コードの絡みを防止したりする利点により、これも実用に供されている。
【考案の概要】
【考案が解決しようとする課題】
【０００３】  しかし、ビニールタイをイヤホンコードに巻き付けたり解いたりする際には、作業のわずらわしさがある。更に、ビニールタイの保管時においては、その形状ゆえ、紛失の可能性が少なからずある。また、樹脂製イヤホンコード束ね具の使用にあたっては、ビニールタイと同様に作業のわずらわしさが欠点であり、イヤホンコード巻き付け時や巻き付け後には、リールにしっかり巻き付ける構造のため、断続的に張力や屈曲負荷がかかり、イヤホンコード内部の金属導体を疲労させ、断線の原因に成り得るという欠点もあった。【０００４】  イヤホンを携帯して使用するに際し、イヤホンコードを素早く束ねたり解いたりできないというのは、操作性利便性に関して課題であり、また、イヤホンコードが断線してしまったならば、以降はイヤホンの使用ができず、これも解決すべき課題であった。
【課題を解決するための手段】
【０００５】  本考案に係るイヤホンコード束ね具は、こうした課題を解決するために、二つの強磁性ネオジウムマグネットと、各マグネットを被覆したカバーと、それらのカバーを連結した伸縮自在なバンドとで構成されたものである。
【考案の効果】
【０００６】  本考案によれば、束ねたイヤホンコードにバンドを巻きつけて両端のマグネットを互いに磁気接着させるだけで、束ねたイヤホンコードを極めて簡単に保持することができる。したがって、イヤホンの使用前や使用後、または保管時に、簡単にイヤホンコードを束ねたり解いたりすることが出来るため、作業のわずらわしさを感じることなく快適にイヤホンを携帯し、使用することができる。また、束ねたイヤホンコードにバンドを巻き付けるだけで済むので、イヤホンコードに断続的に張力や屈曲負荷をかけることなく、内部の金属導体の疲労も低減される。
さらに、使用中のイヤホンコードにバンドを巻いて両端のマグネットをワイシャツ等の前開きに挟んで磁気接着させれば、イヤホンコードをワイシャツ等の前開きに沿わせることができる。したがって、イヤホンの使用中は、イヤホンコードガイドとして配線を安定させ、他の物へ引っ掛かることを防ぐことができる。更に、イヤホンの不使用時には、束ねたイヤホンコードをバンドで保持した状態でマグネットを磁性材料（例えばスチール机）へ磁気接着させれば、イヤホンの保管にも利便性をもつ。
【図面の簡単な説明】
【０００７】
【図１】本考案に係るイヤホンコード束ね具の一実施形態の外観斜視図である。
【図２】上記実施形態の使用状態を示す外観斜視図である。
【図３】上記実施形態の束ね具を服の前開きに取り付けた状態の説明図である。
【図４】本考案に係るイヤホンコード束ね具の他の実施形態の外観斜視図である。
【図５】上記他の実施形態の使用状態を示す説明図である。
【考案を実施するための形態】
【０００８】  本考案に係るイヤホンコード束ね具の実施形態を図面に基づいて説明する。
イヤホンコード束ね具１０は、ボタン型の二つのマグネット１と、それらを覆うカバー２と、各カバーを連結する伸縮自在なバンド３とを備えている。これらのカバー２とバンド３は、シリコンゴムで一体的に形成されている。従って、バンド３は自由に伸びる。
使用に際しては、図２のように、バンド３をループ状に曲げ、両端のマグネット１を互いに磁気接着させれば、イヤホンコード５（図３参照）を保持するループができる。そのループにイヤホンコードを保持するために、束ねたイヤホンコード５にバンド３を巻いて両端のマグネット１を磁気接着させれば、束ねたイヤホンコード５を保持することができる。
【０００９】  その他の使用方法としては、図３に示すように、使用中のイヤホンコード５にバンド３を被せて両端のマグネット１間にワイシャツの前開きを挟み込む。すると、両端のマグネット１の磁力でもってイヤホンコード５が前開きに保持されるため、イヤホンコードガイドとして配線を安定させ、他の物へ引っ掛かることを防ぐことができる。そのため、ボタン型の二つのマグネット１は、カバー２で覆われているが、イヤホンやイヤホンコード５を吊り下げて保持できる磁力を有している。また、バンド３をループ状に曲げ、そこにイヤホンコード５を挟んだのち両端のマグネット１を磁気接着させてイヤホンコードを保持した状態でも、両端のカバーのいずれかひとつを磁性体、例えば、スチール製の机に磁気接着させることにより、イヤホンやイヤホンコード５を吊り下げて保持することができる。
【００１０】  次に、本考案にかかる他の実施形態を図４に基づいて説明する。この実施形態では、バンド３の長手方向に沿って２本の平行なスリット４を形成し、そのスリット４をイヤホンコード５を保持する留め具６とした点で前述の実施形態と相違するが、その他の構成は、前述の実施形態と同じである。このスリット４は、イヤホンコード５を１本ないし２本程度挟んで保持できる長さを有しており、この平行なスリット４で挟まれた部分（留め具）６をバンド３から浮かせて、そこに図５に示すように、イヤホンコード５先端のプラグを挿入してイヤホンコード５を通すことにより、イヤホンコード５が保持可能となっている。これにより、イヤホンコード束ね具１０をワイシャツの前開きに挟んだときに、ワイシャツから脱落することがあっても、イヤホンコード束ね具１０は、イヤホンコード５と一体になっているため紛失することはない。
【００１１】  バンド３は、イヤホンコード５を束ねた状態でも保持できる充分な長さと幅を有しており、かつ、その幅は前記カバー２の直径よりも小さく形成されている。これにより、イヤホンコード５の長さや太さに関わらず、イヤホンコード５を幾重に束ねた状態でも、バンド３をループ状に形成してイヤホンコード５を囲み、二つのマグネット１を互いに磁気接着させることにより、イヤホンコード５を保持することができる。
【００１２】  また、前述のスリット４に代えて、バンド３にイヤホンコード５を保持する保持具を形成しても良い。例えば、バンド３の中央部からＣ型に突起させた保持具を形成し、そのＣ型の保持具内にイヤホンコード５を１本ないし２本程度挟んで保持させるようにする。これにより、イヤホンの使用時にイヤホンコード５のふらつきを抑えることができる。また、バンド３をループ状に形成することにより、ループの内部に保持具が配置され、この保持具でイヤホンコード５を挟んで留めたのち、図３のようにワイシャツなどの薄手の衣類を挟み、両端のマグネット１を磁気接着させることでイヤホンコードガイドとして配線を安定させることもできる。
【符号の説明】
【００１３】  １  ・・・・マグネット
２  ・・・・カバー
３  ・・・・バンド
４  ・・・・スリット
５  ・・・・イヤホンコード
６  ・・・・留め具
１０  ・・・・イヤホンコード束ね具
【図１】
0003196459.tif 000003
【図２】
0003196459.tif 000004
【図３】
0003196459.tif 000005
【図４】
0003196459.tif 000006
【図５】
0003196459.tif 000007